(57)【要約】【課題】  種々の記録媒体、特に光沢を有する記録媒体に対して優れた光沢感を有する画像を得ることが可能なインク組成物を提供する。【解決手段】  少なくとも、顔料と、ポリオキシエチレン脂肪酸エステルと、アセチレングリコール系界面活性剤と、１，２−アルカンジオール及び／またはグリコールエーテルを含むことを特徴とするインク組成物により、視野角２０°の光沢が改善され、これにより、印刷画像の光沢感が改善され、前記課題を解決したものである。【選択図】  なし【特許請求の範囲】
【請求項１】
少なくとも顔料と、ポリオキシエチレン脂肪酸エステルと、アセチレングリコール系界面活性剤と、１，２−アルカンジオール及び／またはグリコールエーテルとを含むことを特徴とするインク組成物。
【請求項２】
前記ポリオキシエチレン脂肪酸エステルのエチレンオキサイド基数が４〜１５の範囲であることを特徴とする請求項１に記載のインク組成物。
【請求項３】
前記ポリオキシエチレン脂肪酸エステルのＨＬＢ値が８〜１５の範囲であることを特徴とする請求項１または２に記載のインク組成物。
【請求項４】
前記ポリオキシエチレン脂肪酸エステルの脂肪酸が、ラウリン酸、ステアリン酸およびオレイン酸から選択されることを特徴とする請求項１〜３の何れかに記載のインク組成物。
【請求項５】
前記ポリオキシエチレン脂肪酸エステルは、インク組成物全量に対して０．０５〜３．０重量％含まれることを特徴とする請求項１〜４の何れかに記載のインク組成物。
【請求項６】
インクジェット記録方式に用いられることを特徴とする請求項１〜５の何れかに記載のインク組成物。
【請求項７】
請求項１〜６の何れかに記載のインク組成物を記録媒体に付着させて印字を行う記録方法。
【請求項８】
請求項１〜６の何れかに記載のインク組成物の液滴を吐出し、該液滴を記録媒体に付着させて印字を行うことを特徴とするインクジェット記録方法。
【請求項９】
請求項７または８に記載の記録方法によって記録が行われた記録物。
【発明の詳細な説明】
【技術分野】
【０００１】
本発明は、種々の記録媒体に対して優れた光沢感を有する画像を得ることが可能なインク組成物であって、特にインクジェット記録方式に用いるのに好適なインク組成物に関する。
【背景技術】
【０００２】
インクジェット記録方式は、インクの小滴を飛翔させ、紙等の記録媒体に付着させて印刷を行う印刷方法である。近年のインクジェット記録技術の革新的な進歩により、これまで写真やオフセット印刷の分野であった高精細な画像記録（印刷）にもインクジェット記録方法を用いられるようになってきており、一般に用いられる普通紙やインクジェット記録用の専用紙（マット系、光沢系）に対してのみならず、印刷本紙等の記録媒体にも高品質な記録が求められてきている。
【０００３】
インクジェット記録に用いられるインクとしては、一般に着色剤となる色材と水と水溶性有機溶剤、界面活性剤等を含むインク組成物が知られている。
色材としては、染料あるいは顔料が用いられ、特にカラーインクは色の彩度の高さ、透明性、水への溶解性が高い等の理由から染料が使用される場合が多い。しかし、染料は一般的に耐光性や耐ガス性の点が不十分であり、また、水溶性であることから、耐水性にも問題があるため、染料を用いたインクにより記録された記録物は、記録画像の保存性に劣るという欠点を有している。これに対して、顔料はこうした耐光性、耐ガス性、耐水性に優れた色材であるため、この色材特性を活かした顔料インクの開発が進められてきており、例えば、顔料を界面活性剤や高分子分散剤で分散した水性顔料インクが提案されている。
【０００４】
従来の顔料インクでは、光沢がある平滑な記録媒体に対して、インク付着部分に凹凸が生じ、光の乱反射が起こるために光沢感が損なわれるという問題があった。
光沢感のある画像を得るためには、記録媒体上でのインク付着表面を平滑にし、乱反射を抑制する必要があるが、多量の樹脂等をインクに添加することで、インク付着表面を平滑にして、光沢を得る方法も知られている。
しかしながら、特にインクジェット記録に用いられるような低粘度（２０℃における粘度が１５ｍＰａ・ｓ以下）のインクでは、樹脂の添加量には限界があり、インク付着表面を充分に平滑にすることは難しかった。また、インクジェット記録方式においては、多量の樹脂を含むインクは目詰まり等の信頼性が劣化するという問題もあった。
【０００５】
そこで、ポリエーテル変性ポリシロキサンとスルホン基含有共重合体エマルジョンを含有するインク組成物により、インク付着表面を平滑にして、鏡面光沢を得る方法が提案されている（特許文献１参照）。
また、自己分散顔料と水分散性樹脂とを含み、水分散性樹脂の平均粒子径が自己分散顔料の平均粒子径以下にすることで、光沢性と光学濃度（ＯＤ値）を高く保つ方法が提案されている（特許文献２参照）。
【０００６】
【特許文献１】特開２００３−３０６６２０号公報
【特許文献２】特開２００４−３５７１６号公報
【発明の開示】
【発明が解決しようとする課題】
【０００７】
しかしながら、ポリエーテル変性ポリシロキサンとスルホン基含有共重合体エマルジョンを含有するインク組成物はフィルム調あるいは写真調の記録媒体に対しては優れた光沢性は有するものの、紙ベースの光沢紙に対しては、発色が劣るという課題があった。
また、水分散性樹脂の平均粒子径が自己分散顔料の平均粒子径以下にする方法では、充分な光沢感を得ることができないという課題があった。
【０００８】
本発明は上記問題点に鑑みてなされたものであって、その目的とするところは、種々の記録媒体、特に光沢を有する記録媒体に対して優れた光沢感を有する画像を得ることが可能なインク組成物であって、特にインクジェット記録方式に用いるのに好適なインク組成物を提供することにある。
【課題を解決するための手段】
【０００９】
本発明者は鋭意検討の結果、少なくとも顔料と、ポリオキシエチレン脂肪酸エステルと、アセチレングリコール系界面活性剤と、１，２−アルカンジオール及び／またはグリコールエーテルとを含むことを特徴とするインク組成物が、前記課題を解決し得るとの知見を得た。本発明は、かかる知見に基づくものであり、本発明の構成は以下の通りである。
（１）少なくとも顔料と、ポリオキシエチレン脂肪酸エステルと、アセチレングリコール系界面活性剤と、１，２−アルカンジオール及び／またはグリコールエーテルとを含むことを特徴とするインク組成物。
（２）前記ポリオキシエチレン脂肪酸エステルのエチレンオキサイド基数が４〜１５の範囲であることを特徴とする（１）に記載のインク組成物。
（３）前記ポリオキシエチレン脂肪酸エステルのＨＬＢ値が８〜１５の範囲であることを特徴とする（１）または（２）に記載のインク組成物。
（４）前記ポリオキシエチレン脂肪酸エステルの脂肪酸が、ラウリン酸、ステアリン酸およびオレイン酸から選択されることを特徴とする（１）〜（３）の何れかに記載のインク組成物。
（５）前記ポリオキシエチレン脂肪酸エステルは、インク組成物全量に対して０．０５〜３．０重量％含まれることを特徴とする（１）〜（４）の何れかに記載のインク組成物。
（６）インクジェット記録方式に用いられることを特徴とする（１）〜（５）の何れかに記載のインク組成物。
（７）（１）〜（６）の何れかに記載のインク組成物を記録媒体に付着させて印字を行う記録方法。
（８）（１）〜（６）の何れかに記載のインク組成物の液滴を吐出し、該液滴を記録媒体に付着させて印字を行うことを特徴とするインクジェット記録方法。
（９）（７）または（８）に記載の記録方法によって記録が行われた記録物。
【発明を実施するための最良の形態】
【００１０】
以下、本発明のインク組成物を、その好ましい実施形態に基づいて詳細に説明する。
本発明のインク組成物は、少なくとも顔料と、ポリオキシエチレン脂肪酸エステルと、アセチレングリコール系界面活性剤と、１，２−アルカンジオール及び／またはグリコールエーテルとを含むことを特徴とする。
【００１１】
また、光沢については、印刷物は一般に鏡面光沢の指標として用いる６０°光沢が高い値を示しても、見た目の光沢感と一致しないことがわかり、鋭利検討の結果、視野角２０°での光沢を向上させることが、見た目の光沢感と一致してくることが判明し、本発明においては、視野角２０°の光沢を改善することで、光沢感のある記録物を提供するに至った。
【００１２】
以下、各構成要素について詳細に説明する。
【００１３】
[顔料]
本発明のインク組成物には着色剤として顔料を含む。例えば、Ｃ．Ｉ．ピグメントイエロー１，３，１２，１３，１４，１７，２４，３４，３５，３７，４２，５３，５５，７４，８１，８３，９５，９７，９８，１００，１０１，１０４，１０８，１０９，１１０，１１７，１２０，１２８，１３８，１５０，１５３，１５５，１７４，１８０，１９８、Ｃ．Ｉ．ピグメントレッド１，３，５，８，９，１６，１７，１９，２２，３８，５７：１，９０，１１２，１２２，１２３，１２７、１４６，１８４、２０２、２０９、Ｃ．Ｉ．ピグメントバイオレッド１，３，５：１，１６，１９，２３，３８、Ｃ．Ｉ．ピグメントブルー１，２，１５，１５：１，１５：２，１５：３，１５：４，１６、Ｃ．Ｉ．ピグメントブラック１，７等を用いることが出来る。
【００１４】
これらの顔料は、顔料表面に分散性付与基（親水性官能基および／またはその塩）を直接的またはアルキル基、アルキルエーテル基、アリール基等を介して間接的に結合させ、分散剤なしに水性媒体中に分散および／または溶解する自己分散型顔料として加工され、水性媒体中に分散させた顔料分散液として、または、分散剤によって水性媒体中に分散させた顔料分散液として、インク組成物に配合させることが好ましい。分散剤の例としては、その分子骨格がスチレンーアクリル酸共重合体樹脂等があげられ、その分子量が１００００〜１５００００程度のものが、顔料を安定的に分散させる点で好ましい。
また、これらの顔料は、インクの保存安定性やノズルの目詰まり防止等の観点から、その平均粒子径が５０〜２５０ｎｍの範囲であることが好ましい。
さらに、これらの顔料は、２〜１５重量％の範囲で本発明のインク中に含有されることが好ましい。含有量が２重量％未満では印字濃度（発色性）が不充分である場合があり、また１５重量％よりも大きいとノズルの目詰まりや、吐出の不安定を起こす等の信頼性に不具合が生じる場合がある。
【００１５】
［ポリオキシエチレン脂肪酸エステル］
本発明のインク組成物は、ポリオキシエチレン脂肪酸エステルを含有する。ポリオキシエチレン脂肪酸エステルは以下に説明するアセチレングリコール系界面活性剤と共に用いることにより、インク付着表面を平滑にする効果があり、記録画像の光沢感を付与する。
本発明に使用されるポリオキシエチレン脂肪酸エステルは、エチレンオキサイド基数が４〜１５の範囲であることが、記録画像の光沢感が良好であり、ＨＬＢ値が８〜１５の範囲であることが、インク組成物の保存安定性において好ましい。
また、ポリオキシエチレン脂肪酸エステルの脂肪酸は、ラウリン酸、ステアリン酸およびオレイン酸から選択されることが、記録画像の光沢感、インクの保存安定性の面で好ましい。
ポリオキシエチレン脂肪酸エステルの具体的な例としては、ＢＬＡＵＮＯＮ  Ｌ−４００、Ｓ−４００Ａ、Ｏ−４００ＳＡ、Ｏ−６００ＳＡ（青木油脂工業(株)製品）、エマルゲン１０３、１０４Ｐ、１０６、１０８、４０４、４２０（花王（株）製品）、ＳＮウェットＬ、ＳＮウェット３６６（サンノプコ（株）製品）等が挙げられる。これらは、インク組成物中に複数種用いてもよく、適切な光沢感を得るために、インク組成物全量に対して０．０５〜３．０重量％含まれることが好ましい。
【００１６】
［アセチレングリコール系界面活性剤］
本発明のインク組成物は、アセチレングリコール系界面活性剤を含有する。アセチレングリコール系界面活性剤は、上述のポリオキシエチレン脂肪酸エステルとの併用による光沢感への作用とともに、インクの紙への浸透性や滲みを適度に制御できる。
アセチレングリコール系界面活性剤の例としては、サーフィノール４２０、４４０、４６５、４８５、１０４、ＳＴＧ（エアープロダクツ社製品）、オルフィンＰＤ−００１、ＳＰＣ、Ｅ１００４、Ｅ１０１０（日信化学工業（株）製品）、アセチレノールＥ００、Ｅ４０、Ｅ１００、ＬＨ（川研ファインケミカル（株）製品）等が挙げられる。これらは、インク組成物中に複数種用いてもよく、適切な光沢感と浸透性を得るために、インク組成物全量に対して０．１〜３．０重量％含まれることが好ましい。
【００１７】
［水溶性有機溶剤］
本発明のインク組成物は、１，２−アルカンジオール及び／またはグリコールエーテルを含有する。これらは、インクの紙への浸透性や滲みを適度に制御できるとともに、インクの乾燥性を付与するにも好適である。
【００１８】
１，２−アルカンジオールの具体的な例としては、１，２−オクタンジオール、１，２−ヘキサンジオール、１，２−ペンタンジオール、４−メチル−１，２−ペンタンジオール等があげられる。中でも、１，２−オクタンジオール、１，２−ヘキサンジオールが好ましい。
【００１９】
また、グリコールエーテルの具体的な例としては、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、トリエチレングリコールモノブチルエーテル、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテル等があげられる。中でも、ジエチレングリコールモノブチルエーテル、トリエチレングリコールモノブチルエーテルが好ましい。
【００２０】
これらの溶剤は、１種又は２種以上を用いることができ、適切な浸透性及び乾燥性の確保という観点で、インク組成物中に２〜１５重量％含まれることが好ましい。
【００２１】
また、インクジェットヘッドのノズル近傍での目詰まりを防止する目的で、湿潤効果のある水溶性有機溶剤を添加することが好ましい。具体的には、例えば、グリセリン、１，２，６−ヘキサントリオール、トリメチロールプロパン、エチレングリコール、プロピレングリコール、ジエチレングリコール、トリエチレングリコール、テトラエチレングリコール、ペンタエチレンフリコール、ジプロピレングリコール、２−ブテンー１，４−ジオール、２−エチルー１，３−ヘキサンジオール、２−メチルー２，４−ペンタンジオール等の多価アルコール類、グルコース、マンノース、フルクトース、リボース、キシロース、アラビノース、ガラクトース、アルドン酸、グルシトール（ソルビット）、マルトース、セロビオース、ラクトース、スクロース、トレハロース、マルトトリオース等の糖類、糖アルコール類、ヒアルロン酸類、尿素類等のいわゆる固体湿潤剤、エタノール、メタノール、ブタノール、プロパノール、イソプロパノールなどの炭素数１〜４のアルキルアルコール類、２−ピロリドン、N−メチル−２−ピロリドン、１，３−ジメチルー２−イミダゾリジノン、ホルムアミド、アセトアミド、ジメチルスルホキシド、ソルビット、ソルビタン、アセチン、ジアセチン、トリアセチン、スルホラン等があげられる。これらの湿潤効果のある水溶性有機溶剤は１種又は２種以上を用いることができ、インク組成物の適正な物性値（粘度等）の確保、印刷品質、信頼性の確保という観点で、インク組成物中に１０〜５０重量％含まれることが好ましい。
【００２２】
また、本発明のインク組成物に含有される水は主溶媒であり、イオン交換水、限外濾過水、逆浸透水、蒸留水等の純水または超純水を用いることが好ましい。特に紫外線照射または過酸化水素添加等により滅菌処理した水を用いることが、カビやバクテリアの発生を防止してインク組成物の長期保存を可能にする点で好ましい。
【００２３】
[その他]
さらに、本発明のインク組成物には、ｐＨ調整剤を含有することが好ましい。
ｐＨ調整剤としては、水酸化リチウム、水酸化カリウム、水酸化ナトリウム等のアルカリ金属の水酸化物、アンモニア、トリエタノールアミン、トリプロパノールアミン、ジエタノールアミン、モノエタノールアミン等のアミン類等を用いることが出来るが、好ましくは、アルカリ金属の水酸化物、アンモニア、トリエタノールアミン、トリプロパノールアミンから選択される少なくとも１種類のｐＨ調整剤を含み、ｐＨ６〜１０に調整されることが好ましい。ｐＨがこの範囲を外れると、インクジェットプリンタを構成する材料等に悪影響を与えたり、目詰まり回復性が劣化する。
【００２４】
また、必要に応じて、コリジン、イミダゾール、燐酸、３−（Ｎ−モルホリノ）プロパンスルホン酸、トリス（ヒドロキシメチル）アミノメタン、ほう酸等をｐＨ緩衝剤として用いることが出来、消泡剤、酸化防止剤、紫外線吸収剤、防腐・防カビ剤等を添加することも出来る。
【００２５】
発明のインク組成物はペン等の筆記具類、スタンプ等に好適に使用することができるが、インクジェット記録用インク組成物としてさらに好適に使用できる。本発明においてインクジェット記録方式とは、インク組成物を微細なノズルより液滴として吐出して、その液滴を記録媒体に付着させる方式を意味する。具体的に以下に説明する。
【００２６】
第一の方法としては、静電吸引方式があり、この方式はノズルとノズルの前方に置いた加速電極の間に強電界を印可し、ノズルからインクを液滴状で連続的に噴射させ、インク滴が偏向電極間を飛翔する間に印刷情報信号を偏向電極に与えて記録する方式、あるいはインク滴を偏向することなく印刷情報信号に対応して噴射させる方式である。
第二の方法としては、小型ポンプでインク液に圧力を加え、ノズルを水晶振動子等で機械的に振動させることにより、強制的にインク滴を噴射させる方式である。噴射したインク滴は噴射と同時に帯電させ、インク滴が偏向電極間を飛翔する間に印刷情報信号を偏向電極に与えて記録する。
第三の方法は圧電素子を用いる方式であり、インク液に圧電素子で圧力と印刷情報信号を同時に加え、インク滴を噴射・記録させる方式である。
第四の方式は熱エネルギーの作用によりインク液を急激に体積膨張させる方式であり、インク液を印刷情報信号に従って微小電極で加熱発泡させ、インク滴を噴射・記録させる方式である。
以上のいずれの方式も本発明のインク組成物を用いたインクジェット記録方法に使用することができる。
【００２７】
本発明の記録物は、少なくとも上記インク組成物を用いて記録が行われたものである。この記録物は、本発明のインク組成物を用いることにより、発色に優れ、光沢感のある記録物として提供される。
【００２８】
＜実施例＞
以下、実施例を用いて本発明を更に詳細に説明するが、本発明はこれらの実施例に限定されるものではない。
【００２９】
［インク組成物の調製］
表１に示す割合で各成分を混合し、室温にて２時間攪拌した後、孔径５μmのメンブランフィルターにて濾過して、実施例１〜５および比較例１〜２の各水性インク組成物を調製した。ただし表１中に示す添加量は全て重量％濃度として表わされており、また顔料分散液は固形分濃度で表わされている。またイオン交換水の「残量」とは、インク全量が１００部となるようにイオン交換水を加えることを意味する。
【００３０】
【表１】
2005263972.tif 000002
【００３１】
表１で調製した実施例１〜５および比較例１〜２のインク組成物について、以下の評価を行った。
【００３２】
（試験１）光沢性
インクジェットプリンタＥＭ−９３０Ｃ（セイコーエプソン（株）製）で１４４０ｄｐｉの解像度でベタ印字の印刷を行った。記録媒体として、普通紙としてＥＰＳＯＮ写真用紙＜光沢＞、ＥＰＳＯＮフォト光沢紙（以上、商品名：セイコーエプソン株式会社製）、プロフェッショナルフォトペーパーＰＲ１０１、キャノン光沢紙ＧＰ−４０１（以上、商品名：キャノン株式会社製）の４種類に印字を行い、記録物を得た。印刷後、記録物を一般環境で１時間放置した後、光沢計ＧＭ−２６８（コニカミノルタ社製）を用いてベタ部分の２０°光沢を測定した。測定した結果を以下の基準に基づいて判定した。尚、判定は各種紙における評価の平均をとった。
Ａ；２０°光沢が６０以上である場合
Ｂ；２０°光沢が５０以上６０未満である場合
Ｃ；２０°光沢が５０未満である場合
【００３３】
（試験２）発色性
試験１の記録物（専用紙）に加えて、インクジェットプリンタＥＭ−９３０Ｃ（セイコーエプソン（株）製）で７２０ｄｐｉの解像度でベタ印字の印刷を行った。記録媒体として、普通紙としてゼロックスＰ、ゼロックスＲ（以上、商品名：富士ゼロックス社製、Ｘｅｒｏｘ  ４０２４（商品名：Ｘｅｒｏｘ  Ｃｏ．（米国））、リサイクルカットＲ−１００（商品名：王子製紙社製）の４種類に印字を行い、記録物を得た。印刷後、記録物を一般環境で１時間放置した後、グレタグ濃度計（グレタグマクベス社製）を用いてベタ部分のＯＤ値を測定した。測定した結果を以下の基準に基づいて判定した。尚、判定は専用紙における評価の平均値と普通紙における評価の平均値から判断した。
Ａ；専用紙のＯＤ値が２．０以上、普通紙のＯＤ値が１．２以上。
Ｂ；専用紙のＯＤ値が１．８以上２．０未満、普通紙のＯＤ値が１．１以上１．２未満。
Ｃ；専用紙のＯＤ値が１．８未満、あるいは普通紙のＯＤ値が１．１未満。
【００３４】
（試験３）保存安定性
アルミパックにインク組成物５０ｇを入れた状態で７０℃の環境下に１週間放置した。放置後、異物（沈降物）の発生の有無について、また、異物の発生がないものについては、更に物性（粘度、表面張力、ｐＨ、樹脂粒子の粒子径）の変化について、下記基準に基づき判定した。
Ａ；異物の発生がなく、物性の変化もない。
Ｂ；異物の発生はないが、物性が若干変化する。
Ｃ；異物が発生するか、物性が著しく変化する。
【００３５】
（試験４）吐出安定性
調製した各インク組成物を用いて、常温にてインクジェットプリンタＥＭ−９３０Ｃでベタ及び線のパターンを連続印字した。印刷１００ページ内でのインクのドット抜けや飛行曲がりの際に正常印刷への復帰動作として行うプリンターノズルのクリーニングの回数を評価し、下記基準に基づき判定した。
Ａ；クリーニング０回。
Ｂ；クリーニング１又は２回。
Ｃ；クリーニング３回以上。
【００３６】
（試験５）目詰まり性
インクジェットプリンタＥＭ−９３０Ｃを用いて、各インクをヘッドに充填し、全ノズルよりインク組成物が吐出していることを確認した後、インクカートリッジがない状態で、かつホームポジション外の位置（ヘッドがプリンタに備えたキャップの位置からずれており、ヘッドにキャップがされていない状態）で４０℃の環境下に1週間放置した。放置後に、再び全ノズルよりインク組成物が吐出するまでに要したクリーニングの回数を調べ、下記基準に基づき判定した。
Ａ；クリーニング１回。
Ｂ；クリーニング２〜５回。
Ｃ；クリーニング６回以上。
【００３７】
以上の評価判定結果を表２にまとめる。
【００３８】
【表２】
2005263972.tif 000003
【００３９】
表２から明らかなように、本発明のインク組成物によれば、種々の記録媒体、特に光沢を有する記録媒体に対して優れた光沢感を有する画像を得ることができ、普通紙においても発色も良好な高品質な画像を得ることが可能なインク組成物が提供される。
また、本発明のインク組成物は、吐出安定性及び保存安定性に優れ、インクジェット記録用プリンタのノズルの目詰まり回復性が良好であることから、信頼性が高いものであり、インクジェット記録方式に用いるのに好適なインク組成物である。
【産業上の利用可能性】
【００４０】
本発明は前述の実施の形態に限定される物でなく、筆記具用インク、オフセット印刷用インク等の用途にも適用できる。